【事件の表示】
　特願２００２−２０１１４４「電子化証明書を発行する装置、プログラム」拒絶査定不服審判事件〔平成１６年　２月１２日出願公開、特開２００４−　４５６０７〕について、次のとおり審決する。
【結　論】
　本件審判の請求は、成り立たない。
【理　由】
１．手続の経緯
　本願は平成１４年７月１０日の出願であって、平成１８年１０月２４日付けで拒絶の理由が通知されたのに対し、同年１２月２日付けで手続補正を行ったものの、同年１２月２２日付けで拒絶査定がなされ、平成１９年２月１日付けで前記拒絶査定に対する不服審判請求がなされたものであり、当審により同年３月２９日付けで拒絶の理由が通知されたのに対し、同年５月１０日付けで手続補正を行い、当審により同年６月４日付けで拒絶の理由が通知されたのに対し、同年７月１６日付けで手続補正を行ったものである。
　
２．本願発明について
　本願特許請求の範囲の請求項１に係る発明（以下、「本願発明」という。）は、上述した平成１９年７月１６日付けでなされた手続補正により補正された特許請求の範囲の請求項１に記載された以下のとおりのものと認める。
　
「予め作成して記録媒体やメモリに記録、または発行直前に生成して記録媒体やメモリに記録している証明書の画像データであるが証明書の内容の一部又は全部を含まないことで有効ではないことを表現する画像データを読み出す手段と、
　予め作成して記録媒体やメモリに記録、または発行直前にディスプレイとキーボードを利用して入力し記録媒体やメモリに記録している前記証明書の画像データであるが証明書の内容の一部又は全部を含まないことで有効ではないことを表現する画像データが含んでいない証明書の内容を含んでいるデータを読み出す手段と、
　前記証明書の画像データであるが証明書の内容の一部又は全部を含まないことで有効ではないことを表現する画像データが含んでいない証明書の内容を含んでいるデータを秘密鍵を使って公開鍵暗号方式で暗号化して暗号化データを生成する手段と、
　前記暗号化データを前記証明書の画像データであるが証明書の内容の一部又は全部を含まないことで有効ではないことを表現する画像データに埋め込んで電子化証明書を生成する手段と、
　前記電子化証明書を出力する手段と、
　を有する電子化証明書を発行する装置。」
　
３．引用例
　当審により平成１９年６月４日付けで通知された拒絶の理由で引用された、本願の出願の日前である平成１３年１０月５日に頒布された刊行物である特開２００１−２７４９８０号公報（以下、「引用文献１」という。）には、図面と共に以下の事項が記載されている。
　
（ａ）「【００２１】
【発明の実施の形態】以下、この発明の一実施例について説明する。図１〜図５はこの発明の一実施例に係る印刷物を媒体とする情報秘匿システムを説明するための図である。図１はこの発明に係る情報秘匿システムの概略構成を示すブロック図である。この図に示すように、印刷物を媒体とする情報秘匿システムは、まず、原稿（画像や模様など）に対して埋込み手段１１により別の情報データ（画像、文章、音楽・音声などの秘密情報）を埋め込む。　そして、この秘密情報を埋め込んだ原稿を被印刷体に印刷して印刷物１２とする。さらに、この印刷物を抽出装置１３において処理する。すなわち、抽出装置１３は、抽出手段１４と、出力手段１５とを有している。抽出手段１４においては、印刷物１２から秘密情報を埋め込んだ原稿を復元し、その中に埋め込まれた情報データ（秘密情報）を抽出する。この抽出した情報データは、出力手段１５により出力する。例えば情報データが画像や文字データであれば、モニタに表示、または、印刷し、音楽・音声データであればスピーカより音響として出力するものである。
【００２２】図２には、この情報秘匿システムの概略を示している。図示のように、本システムには、エンコーダ側機器とデコーダ側機器とにより構成されている。エンコーダ側機器には、上記埋込み手段を構成するパソコン２１およびこれに付随する入出力機器（マウス、キーボード、モニタなど；図示していない）と、秘密情報を埋め込んだ原稿を印刷する印刷手段の一例としてのカラープリンタ２２とを含んでいる。また、デコーダ側機器には、印刷物を数値データとして読み取るイメージスキャナ２３と、この読み込んだ数値データから秘密情報を埋め込んだ原稿を復元し、さらに、その中から情報データを抽出する抽出手段、および、その情報データの出力手段を構成するパソコン２４とを含んで構成されている。このパソコン２４には入出力機器（マウス、キーボードなど）および周辺機器（外部記憶装置、モニタなど）を含むものとする。
【００２３】図３にはパソコン２１，２４における概略構成を示している。すなわち、埋込み手段、抽出手段、出力手段を構成するパソコンにあっては、ＣＰＵ、ＲＯＭ、ＲＡＭ、Ｉ／Ｏ（入出力インタフェース）の他にも画像メモリ（ＶＲＡＭ）を備え、これらがバス接続されている。また、入力機器であるマウス、キーボードおよびディスプレイもバスラインにより接続されている。
【００２４】図４は埋込み手段によるエンコーダ機能を示すものであり、パソコン２１のＣＰＵで実行されるプログラムの概略フローチャートである。これは情報データの埋込みおよび埋込みキーの機能を含むものである。まず、原稿としてのＮビットからなるデジタル画像（画像や模様データ）を作成・保存（ｂｍｐファイル）する（Ｓ４０１）。次に、デジタル画像に埋め込むための情報データ（例えば認証情報としてのテキストデータ）を作成・保存する（Ｓ４０２）。次に、これらのデジタル画像および認証情報をモニタ画面を参照して選択・表示する（Ｓ４０３）。次に、埋め込むべき情報データ（認証情報）を選択し、モニタに表示する（Ｓ４０４）。次に、埋込みキー（例えば、カスタマイズキーとしての数値）を入力する（Ｓ４０５）。次に、デジタル画像データを自然２進コード（ＰＢＣ）として取出す（Ｓ４０６）。次に、このＰＢＣコードをグレイコード（ＣＧＣ）データに変換する（Ｓ４０７）。次に、このＣＧＣデータとしての画像データをビットプレーンに分解する（Ｓ４０８）。この処理によってデジタル画像はＮ枚の２値画像に分解される。次に、埋込みキーの違いに従って埋込み方法を制御しながら、埋込みデータ（認証情報）を各ビットプレーンに埋め込む（Ｓ４０９）。この埋込み処理は、何れの場合もビットプレーンの中の複雑な局所部分を埋込みデータ（認証情報）と置き換える処理である。この場合、埋込みデータが簡単な２値パターンとなるときは、コンジュゲーション演算により複雑な２値パターンに変換し、その変換したデータを埋め込む。次に、情報データが埋め込まれたＮ枚のビットプレーンを自然２進コードのＮビット画像データに変換する（Ｓ４１０）。次に、この画像データから、印刷物として印刷するためのデジタル合成画像を作成し、モニタに表示する（Ｓ４１１）。その後、このデジタル合成画像に名前を付けてディスクに保存する。次に、印刷物とするデジタル合成画像を選択し、これをプリンタ装置に転送する（Ｓ４１２）。最後に、このデジタル合成画像をプリンタで印刷し（Ｓ４１３）、情報データ（認証情報）を秘匿した印刷物の印刷が完了することとなる。」
　
（ｂ）「【００２９】このシステムにあっては、カスタマイズキーを用いて、この印刷された画像から埋込まれている情報データ（例えば個人の認証情報）を抽出し、表示する。このように、見かけ上の印刷画像の中に、別の画像、音声、テキストデータが同時に潜んでおり、例えばこれをチェックすることにより、正規のカスタマイズキーの所有者により申請印刷物であるか否かを確認することができる。
【００３０】
【発明の効果】この発明では、人目には単なる印刷物に見える画像の中に秘密情報を埋め込み、必要に応じてその情報を抽出することができる。その結果、秘密情報の伝達を安全に行うことができる。」
　
　上記（ａ）には、原稿としてのＮビットからなるデジタル画像（画像や模様データ）を作成・保存（ｂｍｐファイル）すると共に、該デジタル画像に埋め込むための認証情報を作成・保存しておき、これらのデジタル画像および認証情報をモニタ画面を参照して選択・表示し、前記認証情報が簡単な２値パターンとなるときは、コンジュゲーション演算により複雑な２値パターンに変換する一方で、前記デジタル画像（画像や模様データ）をビットプレーンに分解する処理によってＮ枚の２値画像に分解し、前記認証情報をカスタマイズキーによって前記各ビットプレーンの中の複雑な局所部分を認証情報と置き換える処理を行う埋め込み手段により埋め込み、前記認証情報が埋め込まれたＮ枚のビットプレーンを自然２進数コードのＮビット画像データに変換し、該Ｎビット画像データから、印刷物として印刷するためのデジタル合成画像を作成してプリンタ装置に転送し、このデジタル合成画像を前記プリンタ装置で印刷し、前記認証情報を秘匿した印刷物の印刷を完了する処理を、ＣＰＵ、ＲＯＭ、ＲＡＭ、Ｉ／Ｏ（入出力インタフェース）の他にも画像メモリ（ＶＲＡＭ）を備え、これらがバス接続されているパソコンによって行うことが記載されている。ここで、前記デジタル画像や前記認証情報は、それぞれ作成後に保存しているが、前記パソコンはＲＯＭあるいはＲＡＭといったメモリを備えており、また、前記デジタル画像がｂｍｐファイルとして保存されることを勘案すれば、メモリへの保存対象である前記デジタル画像や認証情報を予め作成し、それぞれファイルとして保存しておくことは、当業者にとって自明なことである。
　さらに上記（ｂ）には、申請印刷物の見かけ上の印刷画像の中に、同時に潜んでいる個人の認証情報をチェックすることにより、前記申請印刷物が正規所有者による申請であるか否かを確認することができると共に、前記認証情報の伝達を安全に行うことができる効果を奏することが記載されている。
　してみると、引用文献１には、見かけ上の印刷画像の中に、同時に潜んでいる個人の認証情報をチェックすることにより、正規所有者による申請印刷物であるか否かを確認することができると共に、前記認証情報の伝達を安全に行うために、以下の発明（以下、「引用文献１記載の発明」という。）が記載されている。
　
　予め作成してＲＯＭないしＲＡＭに保存しているデジタル画像（画像や模様データ）を選択・表示すると共に、
　予め作成してＲＯＭないしＲＡＭに保存している認証情報を選択・表示し、
　前記認証情報が簡単な２値パターンとなるときは、コンジュゲーション演算により複雑な２値パターンに変換し、
　前記デジタル画像（画像や模様データ）をビットプレーンに分解する処理によってＮ枚の２値画像に分解して、前記認証情報をカスタマイズキーによって前記各ビットプレーンの中の複雑な局所部分を認証情報と置き換える処理を行う埋め込み手段により埋め込み、前記認証情報が埋め込まれたＮ枚のビットプレーンを自然２進数コードのＮビット画像データに変換し、
　該Ｎビット画像データから、印刷物として印刷するためのデジタル合成画像を作成してディスクに保存すると共にプリンタ装置に転送し、
　前記デジタル合成画像を印刷した申請印刷物を発行するパソコン。
　
　また、当審により平成１９年６月４日付けで通知された拒絶の理由で引用された、本願の出願の日前である平成１０年６月１９日に頒布された刊行物である特開平１０−１６４５４９号公報（以下、「引用文献２」という。）には、図面と共に以下の事項が記載されている。
　
（ｃ）「【００２１】このハッシュ関数Ｈ１は、バイト長がＢmバイトである入力（配列値ｄ[i]）に対して、それと異なるバイト長Ｋの出力（ハッシュ値）を求める関数である。この関数は一方向関数であるから、Ｈ(x)＝yにおいて、yからxを推定することは、事実上不可能である。ハッシュ値は、データ・ハイディングの際に単に初期値として用いられるものであり、異なる入力に対して異なる出力が事実上保証されていれさえすればよい。従って、ハッシュ値の値自身には特別な意味はない。重要なことは、その演算により配列の特徴を示す値を出力すること、つまり配列要素全体の内容に基づいてハッシュ値が一意に定まり、かつその値が配列全体の内容により異なることである。
【００２２】暗号変換部３０は，ハッシュ値Ｈを秘密鍵ＳＫを用いて暗号化し，暗号化されたハッシュ値Ｈ’を出力する。この暗号化されたハッシュ値Ｈ’が認証情報である。秘密鍵ＳＫは，デジタル・カメラごとに異なる鍵を用いるものとし，カメラ内部に保持されている
【００２３】認証情報として暗号化されたハッシュ値Ｈ’は，画像処理部２７中のハイディング部２５に送られる。ハイディング部２５は，画像領域中Ｄ2のデータを操作することにより，ハッシュ値Ｈ’を画像領域Ｄ2中に隠し込む。隠し込みは，実空間又は周波数空間において，画像領域Ｄ2中のデータ（例えば画素値）を操作することにより行うことが可能である。埋め込みは様々な方法が考えられるが，その具体例については後述する。なお，これに関しては，特願平８−１５９３３０号（当方整理番号ＪＡ９９６−０４４）及び特願平８−２７２７２１号（当方整理番号ＪＡ９９６−０７４）にも詳細に説明されている。」
　
（ｄ）「【００３５】また，公開鍵暗号方式を用いて，認証情報を暗号化（スクランブル）しているので，悪意の第三者による認証情報の書き換えを事実上不可能にすることができる。さらに，ある公開鍵ＰＫは，ただ１つの秘密鍵ＳＫに対応している。従って，秘密鍵ＳＫは，デジタル・カメラごとに相違させることにより，そのデジタル画像がどのデジタル・カメラで撮影されたのかを認証することも可能である。」
　上記（ｃ）には、ハッシュ値を秘密鍵を用いて暗号化し、認証情報として前記暗号化されたハッシュ値を画像領域中に埋め込むことが記載されている。
　さらに上記（ｄ）には、認証情報を公開鍵暗号方式を用いて暗号化することによって、悪意の第三者による認証情報の書き換えを事実上不可能にすることができるとが記載されている。
　してみると、引用文献２には、認証情報の書き換えを事実上不可能にするために、以下の発明が記載されている。
　
　認証情報を公開鍵暗号方式を用いて秘密鍵により暗号化し、該暗号化された認証情報を画像領域中に埋め込む技術。
　
４．対比
　本願発明と引用文献１記載の発明とを対比すると、引用文献１記載の発明における「ＲＯＭ」や「ＲＡＭ」は、本願発明の「記録媒体やメモリ」に相当する。
　以下同様に、引用文献１記載の発明における「デジタル画像（画像や模様データ）」、「認証情報」、「自然２進数コードのＮビット画像データ」は、本願発明の「画像データ」、「証明書の内容を含んでいるデータ」、「電子化証明書」にそれぞれ相当する。
　ここで、引用文献１記載の発明における「申請印刷物」は、自然２進数コードのＮビット画像データから作成したデジタル合成画像を印刷したものであるから、「予め作成してＲＯＭないしＲＡＭに保存しているデジタル画像（画像や模様データ）」に「予め作成してＲＯＭないしＲＡＭに保存している認証情報」を埋め込んで発行されており、埋め込まれた前記認証情報をチェックすることにより、正規所有者による申請印刷物であるか否かが確認出来るものであるから、引用文献１記載の発明における「認証情報」は、「証明書の画像データであるが証明書の内容の一部又は全部を含まないことで有効ではないことを表現する画像データが含んでいない」本願発明の「証明書の内容を含んでいるデータ」と、証明書の画像データではあるが証明書の内容の一部又は全部を含まない画像データが含んでいない点で一致している。
　さらに、前記デジタル画像（画像や模様データ）は前記認証情報を含まないことから、引用文献１記載の発明における「デジタル画像（画像や模様データ）」は、「証明書の画像データではあるが証明書の内容の一部又は全部を含まないことで有効ではないこと表現」している本願発明の「画像データ」と、証明書の画像データではあるが証明書の内容の一部又は全部を含まない点で一致している。
　さらに、引用文献１記載の発明では、認証情報をコンジュゲーション演算することで複雑な認証情報を生成する処理を示すものであるが、データの暗号化処理も、簡単なデータを暗号化という一緒の演算を行うことで複雑なデータに変換する処理であることを勘案すれば、引用文献１記載の発明における「前記認証情報が簡単な２値パターンとなるときは、コンジュゲーション演算により複雑な２値パターンに変換」することは、本願発明の「証明書の内容を含んでいるデータを秘密鍵を使って公開鍵暗号方式で暗号化して暗号化データを生成する」ことと、証明書の内容を含んでいるデータを演算してさらに複雑なデータを生成する点で一致している。
　さらに、引用文献１記載の発明では、「前記デジタル画像（画像や模様データ）をビットプレーンに分解する処理によってＮ枚の２値画像に分解して、前記認証情報をカスタマイズキーによって前記各ビットプレーンの中の複雑な局所部分を認証情報と置き換える処理を行う埋め込み手段により埋め込み、前記認証情報が埋め込まれたＮ枚のビットプレーンを自然２進数コードのＮビット画像データに変換」しているが、これはデジタル画像（画像や模様データ）に基づくデータに認証情報に基づくデータを埋め込むことで、申請印刷物の元になるデジタル合成画像を生成するための電子化された「自然２進数コードのＮビット画像データ」を作成しており、したがって引用文献１記載の発明における「前記デジタル画像（画像や模様データ）をビットプレーンに分解する処理によってＮ枚の２値画像に分解して、前記認証情報をカスタマイズキーによって前記各ビットプレーンの中の複雑な局所部分を認証情報と置き換える処理を行う埋め込み手段により埋め込み、前記認証情報が埋め込まれたＮ枚のビットプレーンを自然２進数コードのＮビット画像データに変換」する処理は、本願発明の「画像データに埋め込んで電子化証明書を生成する」処理に相当する。
　さらに、引用文献１記載の発明では、「この画像データから、印刷物として印刷するためのデジタル合成画像を作成してディスクに保存すると共にプリンタ装置に転送」しているが、前記プリンタ装置に転送されるデジタル合成画像は、同じくディスクにて保存できるような電子化された証明内容を含むデータであることを勘案すれば、引用文献１記載の発明における「この画像データから、印刷物として印刷するためのデジタル合成画像を作成してディスクに保存すると共にプリンタ装置に転送」することは、本願発明の「前記電子化証明書を出力する」ことに相当する。
　さらに、引用文献１記載の発明である「前記デジタル合成画像を印刷した申請印刷物を発行するパソコン」における前記パソコンは、上述したように自然２進数コードのＮビット画像データから生成し、電子化された証明内容を含むデータであるデジタル合成画像を、プリンタ装置によって紙に印刷し、申請印刷物として発行する装置であるから、本願発明の「電子化証明書を発行する装置」に相当する。
　してみると、引用文献１記載の発明と本願発明とは、
　
　予め作成して記録媒体やメモリに記録、または発行直前に生成して前記記録媒体やメモリに記録している証明書の画像データであるが証明書の内容の一部又は全部を含まない画像データを読み出し、
　予め作成して記録媒体やメモリに記録、または発行直前にディスプレイとキーボードを利用して入力し記録媒体やメモリに記録している前記証明書の画像データであるが証明書の内容の一部又は全部を含まない画像データが含んでいない証明書の内容を含んでいるデータを読み出し、
　前記証明書の画像データであるが証明書の内容の一部又は全部を含まない画像データが含んでいない証明書の内容を含んでいるデータを演算してさらに複雑なデータを生成し、
　前記複雑なデータを前記証明書の画像データであるが証明書の内容の一部又は全部を含まない画像データに埋め込んで電子化証明書を生成し、
　前記電子化証明書を出力し、
　前記電子化証明書を発行する装置。
　
である点で一致し、以下の点で相違する。
　
（相違点１）
　証明書の画像データであるが証明書の内容の一部又は全部を含まない画像データが、本願発明では、証明書の内容の一部又は全部を含まないことで有効ではないことを表現する画像データであるのに対し、引用文献１記載の発明では、デジタル画像（画像や模様データ）が有効でないことを表現するものであるかは示されていない点。
　
（相違点２）
　データを演算してさらに複雑なデータを生成する処理として、本願発明では、データを秘密鍵を使って公開鍵暗号方式で暗号化して暗号化データを生成しているのに対し、引用文献１記載の発明では、認証情報をコンジュゲーション演算することで複雑な認証情報を生成している点。
　
（相違点３）
　装置の構成として、本願発明では、各処理を行う複数の手段を装置が有しているのに対し、引用文献１記載の発明では、パソコンで行うことは示されているものの、当該パソコンが各処理をどのような手段により行うかについて、具体的には示されていない点。
　
５．判断
　そこで、上記相違点について検討する。
　
（相違点１）について
　引用文献１記載の発明では、認証情報を埋め込んだ自然２進数コードのＮビット画像データから、印刷物として印刷するためのデジタル合成画像を作成し、当該デジタル合成画像をプリンタ装置に転送して印刷した申請印刷物を発行しており、前記申請印刷物について、引用文献１（上記３．（ｂ）を参照）には、見かけ上の印刷画像の中に潜んでいる個人の認証情報をチェックすることにより、正規のカスタマイズキーの所有者による申請印刷物であるかを確認することができることが記載されている。
　してみると、引用文献１記載の発明におけるデジタル画像（画像や模様データ）は、前記認証情報が埋め込まれておらず、当該デジタル画像（画像や模様データ）だけでは正規のカスタマイズキーの所有者はチェックできないことを表現していることは当業者にとって自明であるから、引用文献１記載の発明におけるデジタル画像（画像や模様データ）は、本願発明における証明書の画像データであるが証明書の内容の一部又は全部を含まないことで有効ではないことを表現する画像データと、実質的な差異はない。
　
（相違点２）について
　認証情報を秘密鍵を使って公開鍵暗号方式で暗号化したものを画像内に埋め込む処理は引用文献２に記載されているごとく、本出願前において周知な技術である。
　そして、引用文献１記載の発明では、コジュゲーション演算を認証情報に施すことで、より複雑な認証情報を生成しているが、暗号化処理も平文に暗号化を施すことで、より解読の困難な暗号文を生成するものである点を勘案すれば、引用文献１記載の発明における認証情報からなるデータに対する演算処理として、前記周知技術を採用し、前記データを秘密鍵を使って公開鍵
暗号方式で暗号化して暗号化データを生成するよう構成することは、当業者が容易になし得たことである。
　
（相違点３）について
　引用文献１（上記３．（ａ）を参照）には、埋込み手段、抽出手段、出力手段といった、それぞれ異なる機能を有する複数の手段を一つのパソコンで構成することが記載されているから、引用文献１記載の発明における各機能に対応する手段をパソコンで構成し、それぞれに機能させることは、上述した記載事項から当業者が容易に想到し得たことである。
　
　そして、本願発明の、一般的な画像データ形式の電子化証明書を画像データとして表示しただけでは有効な表示とはならないという作用効果は、見かけ上の印刷画像の中に、同時に潜んでいる個人の認証情報をチェックすることにより、正規所有者による申請印刷物であるか否かを確認することができる作用効果を有する引用文献１に記載された発明及び周知技術から、当業者が予測できる範囲のものである。
　
６．むすび
　したがって、本願発明は、引用文献１に記載された発明及び周知技術に基づいて、当業者が容易に発明をすることができたものであるから、特許法第２９条第２項の規定により特許を受けることができない。
　よって、結論のとおり審決する。